Podtech/llm-jp-corpus-v4-ja_patent huggingface dataset:
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
水路部と、張代部と、立ち上がり部とを備え、
前記水路部の底面と前記張代部の底面とが１枚の共通の板状部材で形成され、
前記立ち上がり部は、前記板状部材から上方向に向けて立設されており、
前記立ち上がり部には、前記張代部側と前記水路部側を連通する排水孔が設けられ、
前記立ち上がり部により、前記水路部と前記張代部が区画されていることを特徴とする緑化見切り部材。
【請求項２】
前記立ち上がり部の上部に前記水路部の上方を覆う遮光部が設けられていることを特徴とする請求項１に記載の緑化見切り部材。
【請求項３】
前記立ち上がり部は、風飛び防止部材を取り付ける取付部を有していることを特徴とする請求項１または２に記載の緑化見切り部材。
【請求項４】
前記遮光部の外側の側面を形成する外側面部と、前記水路部の外側の側面を形成する水路側面部は、略同一平面に形成されていることを特徴とする請求項２又は請求項２を引用する請求項３に記載の緑化見切り部材。
【請求項５】
前記立ち上がり部に前記張代部側へ突出した突出部が設けられていることを特徴とする請求項１から請求項４のいずれか一項に記載の緑化見切り部材。
【請求項６】
請求項１から請求項５のいずれか一項に記載の緑化見切り部材を用いる緑化見切り部材の設置システムであって、
前記張代部の底面側または前記水路部の底面側または前記張代部と前記水路部の両者の底面側には、設置面との間に両面粘着材が張り合わされていることを特徴とする緑化見切り部材の設置システム。
【請求項７】
前記張代部の上面から前記張代部の端部よりもはみ出した部分にかけて防水シートが張り合わされていることを特徴とする請求項６に記載の緑化見切り部材の設置システム。
【請求項８】
水路部と、張代部と、立ち上がり部とを備え、
前記水路部の底面と前記張代部の底面とが１枚の共通の板状部材で形成され、
前記立ち上がり部は、前記板状部材から上方向に向けて立設されており、
前記立ち上がり部には、前記張代部側と前記水路部側を連通する排水孔が設けられ、
前記立ち上がり部により、前記水路部と前記張代部が区画されている緑化見切り部材の設置方法であって、
前記張代部の底面側または前記水路部の底面側または前記張代部と前記水路部の両者の底面側に、設置面との間に両面粘着材を張り合わせて固定し、前記張代部の上面から前記張代部の端部よりもはみ出した部分にかけて、防水シートが張り合わされて固着することを特徴とする緑化見切り部材の設置方法。
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
細胞接着性を有する粒子を含有するハイドロゲルと、
前記粒子を含有しないハイドロゲルと、
前記粒子に接着している細胞と、を含み、
平面視した全体表面に対する、前記粒子の露出表面積の占有割合が２０％以上である、ことを特徴とする複合体。
【請求項２】
前記粒子の体積平均粒径が、前記細胞の体積平均粒径より小さい請求項１に記載の複合体。
【請求項３】
前記粒子の体積平均粒径が、１μｍ以下である請求項１から２のいずれかに記載の複合体。
【請求項４】
前記粒子の体積平均粒径が、１００ｎｍ以上１μｍ以下である請求項３に記載の複合体。
【請求項５】
前記細胞が、前記粒子と接着点を有する請求項１から４のいずれかに記載の複合体。
【請求項６】
前記粒子が、細胞接着因子を有する請求項１から５のいずれかに記載の複合体。
【請求項７】
前記粒子が、ゼラチン粒子である請求項１から６のいずれかに記載の複合体。
【請求項８】
請求項１から７のいずれかに記載の複合体を、前記複合体の厚み方向に複数有することを特徴とする積層体。
【請求項９】
細胞接着性を有する粒子を含有するハイドロゲルの領域を形成する工程と、
前記粒子を含有しないハイドロゲルの領域を形成する工程と、
前記粒子に細胞を接着させる工程と、
を含むことを特徴とする複合体の製造方法。
【請求項１０】
細胞接着性を有する粒子を含有するハイドロゲルと、
前記粒子を含有しないハイドロゲルと、を含み、
平面視した全体表面に対する、前記粒子の露出表面積の占有割合が２０％以上である、ことを特徴とする細胞接着用基材。
【請求項１１】
細胞接着性を有する粒子を含有するハイドロゲルの領域を形成する工程と、
前記粒子を含有しないハイドロゲルの領域を形成する工程と、
を含むことを特徴とする細胞接着用基材の製造方法。
【手続補正２】
【補正対象書類名】明細書
【補正対象項目名】発明の名称
【補正方法】変更
【補正の内容】
【発明の名称】複合体及びその製造方法、積層体、並びに細胞接着用基材及びその製造方法
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
レーザー光の照射によって記録が行われる光情報記録媒体用記録層であって、
タングステン酸化物及びコバルト酸化物を含有し、
全金属原子に対するコバルト原子の含有量が１０原子％超７０原子％以下である記録層。
【請求項２】
インジウム酸化物、亜鉛酸化物及び銅酸化物のうち少なくとも１種をさらに含有する請求項１に記載の記録層。
【請求項３】
銀酸化物をさらに含有し、
全金属原子に対する銀原子の含有量が２０原子％以下である請求項１又は請求項２に記載の記録層。
【請求項４】
レーザー光の照射によって気泡を生成する請求項１、請求項２又は請求項３に記載の記録層。
【請求項５】
平均厚さが５ｎｍ以上６０ｎｍ以下である請求項１から請求項４のいずれか１項に記載の記録層。
【請求項６】
請求項１から請求項５のいずれか１項に記載の記録層を備える光情報記録媒体。
【請求項７】
上記記録層のレーザー照射面の反対側の面に反射層が積層されていない請求項６に記載の光情報記録媒体。
【請求項８】
誘電体層が積層されていない請求項６又は請求項７に記載の光情報記録媒体。
【請求項９】
レーザー光の照射によって記録が行われる光情報記録媒体用記録層をスパッタリングにより形成するためのスパッタリングターゲットであって、
タングステン及びコバルトを含有し、
全金属原子に対するコバルト原子の含有量が１０原子％超７０原子％以下であるスパッタリングターゲット。
【請求項１０】
インジウム、亜鉛及び銅のうち少なくとも１種をさらに含有する請求項９に記載のスパッタリングターゲット。
【請求項１１】
銀をさらに含有し、
全金属原子に対する銀原子の含有量が２０原子％以下である請求項９又は請求項１０に記載のスパッタリングターゲット。
【手続補正２】
【補正対象書類名】明細書
【補正対象項目名】発明の名称
【補正方法】変更
【補正の内容】
【発明の名称】記録層、光情報記録媒体及びスパッタリングターゲット
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
プレーヤによる実行開始操作に基づいて実行開始されるゲームにおいて広告を表示制御させるコンピュータシステムであって、
前記ゲームの実行状況が所与の広告を表示させるタイミングとして、前記プレーヤの操作に基づいて前記ゲームで使用するキャラクタのパーティを編集するパーティ編集の開始タイミング、或いは、当該パーティ編集の終了タイミングに係るタイミング条件を満たした場合に前記所与の広告を表示制御する広告表示制御手段と、
前記表示制御による前記プレーヤの広告視聴に対する特典を設定する特典設定手段と、
前記特典を前記プレーヤに付与する特典付与手段と、
を備え、
前記広告表示制御手段は、
前記タイミング条件を満たした場合に、前記所与の広告の視聴をオファーするオファー制御手段、
を有し、前記オファーに対する前記プレーヤの承認操作がなされた場合に、前記所与の広告の表示制御を開始する、
コンピュータシステム。
【請求項２】
プレーヤによる実行開始操作に基づいて実行開始されるゲームにおいて広告を表示制御させるコンピュータシステムであって、
前記ゲームの実行状況が所与の広告を表示させるタイミングとして、前記プレーヤの操作に基づいて前記プレーヤのキャラクタの装備を変更する装備変更の開始タイミング、或いは、当該装備変更の終了タイミングに係るタイミング条件を満たした場合に前記所与の広告を表示制御する広告表示制御手段と、
前記表示制御による前記プレーヤの広告視聴に対する特典を設定する特典設定手段と、
前記特典を前記プレーヤに付与する特典付与手段と、
を備え、
前記広告表示制御手段は、
前記タイミング条件を満たした場合に、前記所与の広告の視聴をオファーするオファー制御手段、
を有し、前記オファーに対する前記プレーヤの承認操作がなされた場合に、前記所与の広告の表示制御を開始する、
コンピュータシステム。
【請求項３】
プレーヤによる実行開始操作に基づいて実行開始されるゲームにおいて広告を表示制御させるコンピュータシステムであって、
前記ゲームの実行状況が所与の広告を表示させるタイミングとして、前記プレーヤのキャラクタがレベルアップした時のレベルアップ通知がなされたタイミングに係るタイミング条件を満たした場合に前記所与の広告を表示制御する広告表示制御手段と、
前記表示制御による前記プレーヤの広告視聴に対する特典を設定する特典設定手段と、
前記特典を前記プレーヤに付与する特典付与手段と、
を備え、
前記広告表示制御手段は、
前記タイミング条件を満たした場合に、前記所与の広告の視聴をオファーするオファー制御手段、
を有し、前記オファーに対する前記プレーヤの承認操作がなされた場合に、前記所与の広告の表示制御を開始する、
コンピュータシステム。
【請求項４】
プレーヤによる実行開始操作に基づいて実行開始されるゲームにおいて広告を表示制御させるコンピュータシステムであって、
前記ゲームの実行状況が所与の広告を表示させるタイミングとして、戦闘プレイが終了したタイミングに係るタイミング条件を満たした場合に前記所与の広告を表示制御する広告表示制御手段と、
前記表示制御による前記プレーヤの広告視聴に対する特典を設定する特典設定手段と、
前記特典を前記プレーヤに付与する特典付与手段と、
を備え、
前記広告表示制御手段は、
前記タイミング条件を満たした場合に、前記所与の広告の視聴をオファーするオファー制御手段、
を有し、前記オファーに対する前記プレーヤの承認操作がなされた場合に、前記所与の広告の表示制御を開始する、
コンピュータシステム。
【請求項５】
プレーヤによる実行開始操作に基づいて実行開始されるゲームにおいて広告を表示制御させるコンピュータシステムであって、
前記ゲームの実行状況が所与の広告を表示させるタイミングとして、ボスキャラクタが登場したタイミングに係るタイミング条件を満たした場合に前記所与の広告を表示制御する広告表示制御手段と、
前記表示制御による前記プレーヤの広告視聴に対する特典を設定する特典設定手段と、
前記特典を前記プレーヤに付与する特典付与手段と、
を備え、
前記広告表示制御手段は、
前記タイミング条件を満たした場合に、前記所与の広告の視聴をオファーするオファー制御手段、
を有し、前記オファーに対する前記プレーヤの承認操作がなされた場合に、前記所与の広告の表示制御を開始する、
コンピュータシステム。
【請求項６】
前記特典設定手段は、前記プレーヤの課金情報に基づいて特典を設定する、
請求項１〜５の何れか一項に記載のコンピュータシステム。
【請求項７】
前記特典設定手段は、所定の高頻度課金条件又は所定の高額課金条件を満たす課金対象に関連付けられた特典を、前記広告視聴に対する特典として設定する、
請求項６に記載のコンピュータシステム。
【請求項８】
前記ゲームのプレイ状況および／又はプレイ履歴に応じて、前記所与の広告とする広告を設定する広告設定手段、
を更に備えた請求項１〜７の何れか一項に記載のコンピュータシステム。
【請求項９】
前記特典設定手段は、
前記所与の広告の広告視聴に対する標準特典を設定する標準特典設定手段と、
前記標準特典を変更して最終的に付与する特典を設定する変更手段と、
を有する、
請求項１〜８の何れか一項に記載のコンピュータシステム。
【請求項１０】
前記変更手段は、前記プレーヤが前記オファーされた広告を過去に視聴した視聴履歴に基づいて、前記標準特典を変更する、
請求項９に記載のコンピュータシステム。
【請求項１１】
前記変更手段は、前記オファーされた広告を過去に視聴した累計回数、及び／又は、前記オファーされた広告と同一の広告を過去に視聴した回数、に基づいて、前記標準特典を変更する、
請求項１０に記載のコンピュータシステム。
【請求項１２】
前記プレーヤの課金情報に基づいて、前記広告表示制御手段による広告表示を抑止する広告表示抑止制御手段、
を更に備えた請求項１〜１１の何れか一項に記載のコンピュータシステム。
【請求項１３】
請求項１〜１２の何れか一項に記載のコンピュータシステムであるサーバシステムと、
前記プレーヤが操作入力するユーザ端末と、
が通信可能に接続されたゲームシステム。
【請求項１４】
前記プレーヤが操作入力する操作入力部を備え、請求項１〜１２の何れか一項に記載のコンピュータシステムであるゲーム装置。
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
変動表示に関する情報を保留記憶情報として記憶可能な保留記憶手段と、
前記保留記憶手段に記憶されている前記保留記憶情報に応じた保留表示を表示する保留表示手段と、
変動表示が開始されることに基づいて、前記保留表示を特定表示として表示する特定表示手段と、
前記特定表示を表示する特定表示部と、
変動表示の実行条件である始動条件が成立したことに基づいて前記保留表示が表示されるときに、当該保留表示に応じた特殊表示を表示する特殊表示手段と、
表示内容の少なくとも一部が異なる複数種類の演出モードのうちのいずれかの演出モードに切替可能な演出モード切替手段と、を備え、
前記始動条件が成立したときに、前記保留表示と前記特殊表示とで表示開始タイミングが異なり、
前記保留表示と前記特殊表示とで、変動表示の開始時に前記特定表示部に移動し、前記特定表示として表示され、
前記複数種類の演出モードとして、前記特殊表示が表示される演出モードと、前記特殊表示が表示されない演出モードと、があり、
前記特殊表示が表示される演出モードにおいて、前記保留表示と前記特殊表示とで、変動表示の開始以降に前記特定表示部に移動表示されて前記特定表示として表示され、
前記特殊表示として前記有利状態に制御される期待度の高い表示がされているときに演出モードの切替が行われない、遊技機。
【手続補正２】
【補正対象書類名】明細書
【補正対象項目名】０００６
【補正方法】変更
【補正の内容】
【０００６】
(Ａ)遊技者にとって有利な有利状態に制御可能な遊技機であって、
変動表示に関する情報を保留記憶情報として記憶可能な保留記憶手段と、
前記保留記憶手段に記憶されている前記保留記憶情報に応じた保留表示を表示する保留表示手段と、
変動表示が開始されることに基づいて、前記保留表示を特定表示として表示する特定表示手段と、
前記特定表示を表示する特定表示部と、
変動表示の実行条件である始動条件が成立したことに基づいて前記保留表示が表示されるときに、当該保留表示に応じた特殊表示を表示する特殊表示手段と、
表示内容の少なくとも一部が異なる複数種類の演出モードのうちのいずれかの演出モードに切替可能な演出モード切替手段と、を備え、
前記始動条件が成立したときに、前記保留表示と前記特殊表示とで表示開始タイミングが異なり、
前記保留表示と前記特殊表示とで、変動表示の開始時に前記特定表示部に移動し、前記特定表示として表示され、
前記複数種類の演出モードとして、前記特殊表示が表示される演出モードと、前記特殊表示が表示されない演出モードと、があり、
前記特殊表示が表示される演出モードにおいて、前記保留表示と前記特殊表示とで、変動表示の開始以降に前記特定表示部に移動表示されて前記特定表示として表示され、
前記特殊表示として前記有利状態に制御される期待度の高い表示がされているときに演出モードの切替が行われない、遊技機。
（１）遊技者にとって有利な有利状態（大当り遊技状態等）に制御可能な遊技機（パチンコ遊技機１等）であって、
変動表示に関する情報を保留記憶情報として記憶可能な保留記憶手段（ＲＡＭ５５等）と、
前記保留記憶手段に記憶されている前記保留記憶情報に応じた保留表示（保留表示Ｈ等）を表示する保留表示手段（演出制御用マイクロコンピュータ１００等）と、
変動表示が開始されることに基づいて、前記保留表示を特定表示（アクティブ保留ＡＨ等）として表示する特定表示手段（演出制御用マイクロコンピュータ１００等）と、
前記特定表示を表示する特定表示部（アクティブ表示領域ＡＨＡ等）と、
変動表示の実行条件である始動条件が成立したこと（始動入賞が発生したこと等）に基づいて前記保留表示が表示されるときに、当該保留表示に応じた特殊表示（特殊表示Ｘ等）を表示する特殊表示手段（演出制御用マイクロコンピュータ１００等）と、を備え、
前記保留表示と前記特殊表示とは、変動表示の開始時に前記特定表示部に移動し、前記特定表示として表示される（図１６（ｆ）〜（ｈ）に示すように、保留表示Ｈと特殊表示Ｘとを変動表示の開始時にアクティブ表示領域ＡＨＡに移動し、アクティブ保留ＡＨとして表示する等）。
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
変動表示に関する情報を保留記憶情報として記憶可能な保留記憶手段と、
前記保留記憶手段に記憶されている前記保留記憶情報に応じた保留表示を表示する保留表示手段と、
変動表示が開始されることに基づいて、前記保留表示を特定表示として表示する特定表示手段と、
変動表示の実行条件である始動条件が成立したことに基づいて前記保留表示が表示されるときに、当該保留表示に応じた特殊表示を表示する特殊表示手段と、
前記保留表示による変動表示の開始時に、前記保留表示と前記特殊表示とを組合せる組合せ演出を実行する組合せ演出実行手段と、
表示内容の少なくとも一部が異なる複数種類の演出モードのうちのいずれかの演出モードに切替可能な演出モード切替手段と、を備え
前記組合せ演出の演出結果に応じて前記有利状態に制御される期待度が異なり、
前記始動条件が成立したときに、前記保留表示と前記特殊表示とでは表示開始タイミングが異なり、
前記複数種類の演出モードとして、前記特殊表示が表示される演出モードと、前記特殊表示が表示されない演出モードと、があり、
前記特殊表示として前記有利状態に制御される期待度の高い表示がされているときに演出モードの切替が行われない、遊技機。
【手続補正２】
【補正対象書類名】明細書
【補正対象項目名】０００６
【補正方法】変更
【補正の内容】
【０００６】
（１）遊技者にとって有利な有利状態（大当り遊技状態等）に制御可能な遊技機（パチンコ遊技機１等）であって、
変動表示に関する情報を保留記憶情報として記憶可能な保留記憶手段（ＲＡＭ５５等）と、
前記保留記憶手段に記憶されている前記保留記憶情報に応じた保留表示（保留表示Ｈ等）を表示する保留表示手段（演出制御用マイクロコンピュータ１００等）と、
変動表示が開始されることに基づいて、前記保留表示を特定表示（アクティブ保留ＡＨ等）として表示する特定表示手段（演出制御用マイクロコンピュータ１００等）と、
変動表示の実行条件である始動条件が成立したこと（始動入賞が発生したこと等）に基づいて前記保留表示が表示されるときに、当該保留表示に応じた特殊表示（特殊表示Ｘ等）を表示する特殊表示手段（演出制御用マイクロコンピュータ１００等）と、
前記保留表示による変動表示の開始時に、前記保留表示と前記特殊表示とを組合せる組合せ演出（図１６（ｆ）〜（ｈ）に示す組合せ演出等）を実行する組合せ演出実行手段（演出制御用マイクロコンピュータ１００等）と、
表示内容の少なくとも一部が異なる複数種類の演出モードのうちのいずれかの演出モードに切替可能な演出モード切替手段と、を備え
前記組合せ演出の演出結果に応じて前記有利状態に制御される期待度が異なり（図２７に示すように、組合せ演出の演出結果として表示される特殊アクティブ保留ＸＡＨに応じて大当りに制御される期待度が異なる等）、
前記始動条件が成立したときに、前記保留表示と前記特殊表示とでは表示開始タイミングが異なり、
前記複数種類の演出モードとして、前記特殊表示が表示される演出モードと、前記特殊表示が表示されない演出モードと、があり、
前記特殊表示として前記有利状態に制御される期待度の高い表示がされているときに演出モードの切替が行われない、遊技機。
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
可変表示を実行可能な遊技機であって、
可変表示に対応した対応表示を対応表示領域において表示する対応表示手段を備え、
前記対応表示領域は、
前記対応表示を表示するための所定表示領域で構成される第１態様と、前記所定表示領域及び当該所定表示領域と異なる特定表示領域で構成される第２態様と、のいずれかの態様で表示され、
前記第２態様で表示されているときに、前記特定表示領域において特定演出を実行可能であり、
前記第１態様により前記対応表示を表示した後に、該対応表示の表示態様を変化させる変化演出を実行可能であり、前記変化演出の実行態様に応じて該変化演出の後に異なる割合で前記変化演出を実行可能である、
ことを特徴とする遊技機。
【手続補正２】
【補正対象書類名】明細書
【補正対象項目名】０００６
【補正方法】変更
【補正の内容】
【０００６】
（１）上記目的を達成するため、本願発明に係る遊技機は、
可変表示を実行可能な遊技機（例えばパチンコ遊技機１）であって、
可変表示に対応した対応表示を対応表示領域（例えば対応表示領域５７ＡＫ１）において表示する対応表示手段（例えば演出制御用ＣＰＵ１２０）を備え、
前記対応表示領域は、
前記対応表示を表示するための所定表示領域（例えば所定表示領域５７ＡＫ１０）で構成される第１態様と、前記所定表示領域及び当該所定表示領域と異なる特定表示領域（例えば特定表示領域５７ＡＫ１４）で構成される第２態様と、のいずれかの態様で表示され、
前記第２態様で表示されているときに、前記特定表示領域において特定演出（例えば作用演出Ｂ）を実行可能であり、
前記第１態様により前記対応表示を表示した後に、該対応表示の表示態様を変化させる変化演出（例えば作用演出Ａ、作用演出Ｂ）を実行可能な変化演出実行手段（例えばステップ５７ＡＫＳ８を実行する演出制御用ＣＰＵ１２０）を実行可能であり、前記変化演出の実行態様に応じて該変化演出の後に異なる割合で前記変化演出を実行可能である、
このような構成によれば、特定演出により演出効果を高めることができる。
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
変動表示に関する情報を保留記憶情報として記憶可能な保留記憶手段と、
前記保留記憶手段に記憶されている前記保留記憶情報に応じた保留表示を保留表示部に表示する保留表示手段と、
変動表示が開始されることに基づいて、前記保留表示を特定表示として特定表示部に表示する特定表示手段と、
変動表示の実行条件である始動条件が成立したことに基づいて前記保留表示が表示されるときに、当該保留表示に応じた特殊表示を前記保留表示部及び前記特定表示部と異なる特殊表示部に表示する特殊表示手段と、
表示内容の少なくとも一部が異なる複数種類の演出モードうちのいずれかの演出モードに切替可能な演出モード手段と、
前記特殊表示部において複数種類の演出を実行可能な演出実行手段と、を備え、
前記始動条件が成立したときに、前記保留表示と前記特殊表示とで表示開始タイミングが異なり、
前記演出実行手段は、演出モードの種類によって異なる種類の演出を前記特殊表示部にて実行可能であり、
前記複数種類の演出モードとして、前記特殊表示が表示される演出モードと、前記特殊表示が表示されない演出モードと、があり、
前記特殊表示として前記有利状態に制御される期待度の高い表示がされているときに演出モードの切替が行われない、遊技機。
【手続補正２】
【補正対象書類名】明細書
【補正対象項目名】０００６
【補正方法】変更
【補正の内容】
【０００６】
(Ａ)遊技者にとって有利な有利状態に制御可能な遊技機であって、
変動表示に関する情報を保留記憶情報として記憶可能な保留記憶手段と、
前記保留記憶手段に記憶されている前記保留記憶情報に応じた保留表示を保留表示部に表示する保留表示手段と、
変動表示が開始されることに基づいて、前記保留表示を特定表示として特定表示部に表示する特定表示手段と、
変動表示の実行条件である始動条件が成立したことに基づいて前記保留表示が表示されるときに、当該保留表示に応じた特殊表示を前記保留表示部及び前記特定表示部と異なる特殊表示部に表示する特殊表示手段と、
表示内容の少なくとも一部が異なる複数種類の演出モードうちのいずれかの演出モードに切替可能な演出モード手段と、
前記特殊表示部において複数種類の演出を実行可能な演出実行手段と、を備え、
前記始動条件が成立したときに、前記保留表示と前記特殊表示とで表示開始タイミングが異なり、
前記演出実行手段は、演出モードの種類によって異なる種類の演出を前記特殊表示部にて実行可能であり、
前記複数種類の演出モードとして、前記特殊表示が表示される演出モードと、前記特殊表示が表示されない演出モードと、があり、
前記特殊表示として前記有利状態に制御される期待度の高い表示がされているときに演出モードの切替が行われない、遊技機。
（１）  遊技者にとって有利な有利状態（大当り遊技状態等）に制御可能な遊技機（パチンコ遊技機１等）であって、
変動表示に関する情報を保留記憶情報として記憶可能な保留記憶手段（ＲＡＭ５５等）と、
前記保留記憶手段に記憶されている前記保留記憶情報に応じた保留表示（保留表示Ｈ等）を保留表示部（保留表示領域ＨＢ）に表示する保留表示手段（演出制御用マイクロコンピュータ１００等）と、
変動表示が開始されることに基づいて、前記保留表示を特定表示（アクティブ保留ＡＨ等）として特定表示部（アクティブ表示領域ＡＨＡ等）に表示する特定表示手段（演出制御用マイクロコンピュータ１００等）と、
前記保留表示部（保留表示領域ＨＢ）および前記特定表示部（アクティブ表示領域ＡＨＡ等）とは異なる位置に設けられた特殊表示部（特殊表示領域ＨＣ等）と、
複数種類の演出モード（第１モード〜第４モード等）うちのいずれかの演出モードに切替可能な演出モード手段（演出制御用マイクロコンピュータ１００等）と、
前記特殊表示部において複数種類の演出（特殊表示演出、サッカー演出、ダーツ演出等）を実行可能な演出実行手段（演出制御用マイクロコンピュータ１００等）と、を備え、
前記演出実行手段は、前記演出モード手段によって切替えられた前記演出モードによって異なる種類の演出を前記特殊表示部にて実行可能である（図１７に示すように、演出モードによって異なる種類の演出を特殊表示領域ＨＣにおいて実行する等）。
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
包帯を収容する包帯収容部と、
前記包帯収容部から包帯を引き出す張力を調整する張力調整部と、を備える包帯巻き具。
【請求項２】
前記張力調整部は、前記包帯収容部に接して取り付けられていることを特徴とする請求項１に記載の包帯巻き具。
【請求項３】
前記包帯収容部の外側であって、前記張力調整部による張力調整が行われた前記包帯の出口には、ローラーが設けられていることを特徴とする請求項１又は２に記載の包帯巻き具。
【請求項４】
前記ローラーは、前記出口の両側に設けられていることを特徴とする請求項３に記載の包帯巻き具。
【請求項５】
前記出口両側の一方のローラーは、前記包帯の張力を保持しながら前記包帯を患部に巻き付けるためのものであり、
前記出口両側の他方のローラーは、前記一方のローラーの傾きを安定させるためのものであることを特徴とする請求項４に記載の包帯巻き具。
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
開孔を有する微細な中空突起部を備えた中空突起具の製造方法であって、
熱可塑性樹脂を含んで形成された基材シートの一面側から、突起部形成用の凸型部を刺入して、該基材シートの他面側から突出する非貫通の中空突起部を形成する突起部形成工程と、
前記突起部形成工程の後に、前記非貫通の中空突起部を冷却する冷却工程と、
前記冷却工程で前記非貫通の中空突起部を冷却しながら、前記基材シートの他面側に配された非接触式の開孔手段を用いて、前記非貫通の中空突起部に貫通孔である開孔を形成する開孔形成工程とを備える、中空突起具の製造方法。
【請求項２】
前記開孔形成工程では、前記非貫通の中空突起部の内部に前記凸型部を刺入した状態で前記開孔を形成する、請求項１に記載の中空突起具の製造方法。
【請求項３】
前記開孔形成工程では、前記非貫通の中空突起部の先端部の中心からずれた位置に開孔を形成する、請求項１又は２に記載の中空突起具の製造方法。
【請求項４】
非接触式の開孔手段として、レーザー装置を用いる、請求項１〜３の何れか１項に記載の中空突起具の製造方法。
【請求項５】
前記開孔形成工程では、前記レーザー装置からレーザー光を前記凸型部の刺入方向に対して傾斜する方向から前記非貫通の中空突起部に照射して前記開孔を形成する、請求項４に記載の中空突起具の製造方法。
【請求項６】
開孔を有する微細な中空突起部を備えた中空突起具であって、
前記開孔は、前記中空突起部の先端部の中心からずれた位置に配された貫通孔であり、
前記開孔は、前記中空突起部の内面側の内径よりも該中空突起部の外面側の内径の方が大きく、
前記中空突起部の内部の空間は、該中空突起部の外形形状に対応した形状に形成されている、中空突起具。
【請求項７】
前記開孔は、その内径が、前記中空突起部の内面側から外面側に向かって漸次増大して
いる、請求項６に記載の中空突起具。
【請求項８】
開孔を有する微細な中空突起部を備えた中空突起具を製造する製造装置であって、
熱可塑性樹脂を含んで形成された基材シートの一面側に配された突起部形成用の凸型部を備える突起部形成部と、非貫通の前記中空突起部を冷却する冷却部と、該基材シートの他面側に配された非接触式の開孔手段を備える開孔形成部とを有し、
前記基材シートの一面側から前記凸型部を刺入して、該基材シートの他面側から突出する非貫通の中空突起部を形成し、その後、前記冷却部で該非貫通の中空突起部を冷却しながら、前記基材シートの他面側から前記開孔手段により該非貫通の中空突起部に貫通孔である開孔を形成するようになっている、中空突起具の製造装置。
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態とは異なる遊技者にとって有利な特殊状態に制御可能な特殊状態制御手段と、
前記有利状態に制御された後に、通常状態に比べて前記特殊状態に制御される頻度が高い特別状態に制御可能な特別状態制御手段と、
前記特別状態において前記特殊状態に制御されるときに前記特殊状態に関連する関連演出を実行可能な関連演出実行手段と、
可変表示に関する情報を保留情報として記憶する保留記憶手段と、
前記有利状態に制御されるときに、前記保留記憶手段により記憶されている保留情報のうちに前記有利状態に制御される契機となる可変表示に関する保留情報が含まれていることを示唆する示唆演出を実行可能な示唆演出実行手段と、を備え、
前記有利状態の終了後に前記特別状態に制御されるときに、該有利状態において前記示唆演出が実行されない場合に、該有利状態において前記特別状態に制御されることを示す特別状態報知が実行され、
前記有利状態の終了後に前記特別状態に制御されるときに、該有利状態において前記示唆演出が実行される場合に、該有利状態において前記特別状態報知の実行が制限され、
前記関連演出実行手段は、前記有利状態において前記示唆演出が実行されない場合に、該有利状態の終了後に制御される前記特別状態において前記関連演出を実行し、
前記有利状態において前記示唆演出が実行される場合に、該有利状態の終了後に制御される前記特別状態において前記関連演出の実行を制限する関連演出制限手段をさらに備え、
前記特別状態において前記特殊状態に制御されると遊技価値が付与される、
ことを特徴とする遊技機。
【手続補正２】
【補正対象書類名】明細書
【補正対象項目名】００１１
【補正方法】変更
【補正の内容】
【００１１】
（Ａ）本発明による遊技機は、可変表示を行い、遊技者にとって有利な有利状態に制御可能な遊技機であって、前記有利状態とは異なる遊技者にとって有利な特殊状態に制御可能な特殊状態制御手段と、前記有利状態に制御された後に、通常状態に比べて前記特殊状態に制御される頻度が高い特別状態に制御可能な特別状態制御手段と、前記特別状態において前記特殊状態に制御されるときに前記特殊状態に関連する関連演出を実行可能な関連演出実行手段と、可変表示に関する情報を保留情報として記憶する保留記憶手段と、前記有利状態に制御されるときに、前記保留記憶手段により記憶されている保留情報のうちに前記有利状態に制御される契機となる可変表示に関する保留情報が含まれていることを示唆する示唆演出を実行可能な示唆演出実行手段と、を備え、前記有利状態の終了後に前記特別状態に制御されるときに、該有利状態において前記示唆演出が実行されない場合に、該有利状態において前記特別状態に制御されることを示す特別状態報知が実行され、前記有利状態の終了後に前記特別状態に制御されるときに、該有利状態において前記示唆演出が実行される場合に、該有利状態において前記特別状態報知の実行が制限され、前記関連演出実行手段は、前記有利状態において前記示唆演出が実行されない場合に、該有利状態の終了後に制御される前記特別状態において前記関連演出を実行し、前記有利状態において前記示唆演出が実行される場合に、該有利状態の終了後に制御される前記特別状態において前記関連演出の実行を制限する関連演出制限手段をさらに備え、前記特別状態において前記特殊状態に制御されると遊技価値が付与される、ことを特徴とする。
（１）他の遊技機は、可変表示を行い、遊技者にとって有利な有利状態（例えば、大当り遊技状態）に制御可能な遊技機であって、有利状態とは異なる遊技者にとって有利な特殊状態（例えば、小当り遊技状態）に制御可能な特殊状態制御手段（例えば、遊技制御用マイクロコンピュータ５６０におけるステップＳ３５８〜Ｓ３６０を実行する部分）と、有利状態に制御された後に、通常状態に比べて特殊状態に制御される頻度が高い特別状態（例えば、ＫＴ状態（第１ＫＴ状態、第２ＫＴ状態））に制御可能な特別状態制御手段（例えば、遊技制御用マイクロコンピュータ５６０におけるステップＳ２２０８Ａ，Ｓ２２１１Ａ，Ｓ２２１２Ａ，Ｓ２２０９Ｂ，Ｓ２２１０Ｂ，Ｓ２２１３Ｂ，Ｓ２２１４Ｂを実行する部分）と、特別状態において特殊状態に制御されるときに特殊状態に関連する関連演出（例えば、小当り報知や連続小当り演出、賞球増加表示の表示、入賞演出など）を実行可能な関連演出実行手段（例えば、演出制御用マイクロコンピュータ２００におけるステップＳ９２８で選択したプロセステーブルに従ってステップＳ９３３，Ｓ９４４等を実行する部分）と、可変表示に関する情報を保留情報として記憶する保留記憶手段（例えば、保留記憶数バッファ）と、有利状態に制御されるときに、保留記憶手段により記憶されている保留情報のうちに有利状態に制御される契機となる可変表示に関する保留情報が含まれていることを示唆する示唆演出（例えば、保留連演出）を実行可能な示唆演出実行手段（例えば、遊技制御用マイクロコンピュータ５６０におけるステップＳ３５０２ａや，Ｓ３５１３を実行する部分）と、示唆演出実行手段により示唆演出が実行されたときに、先の有利状態と後の有利状態との間で特殊状態に制御される場合に、関連演出の実行を制限する制限手段（例えば、演出制御用マイクロコンピュータ２００におけるステップＳ３５０３やＳ９２１ｂ，Ｓ５１１ａ等を実行する部分）とを備えたことを特徴とする。
そのような構成によれば、演出効果を低下させてしまうことを防止することができる。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
ＲＴＣ（リアルタイムクロック）と、
前記ＲＴＣに充電された電力を供給する電池と、
前記電池に電力を供給する電源部と、
前記電池の出力電圧に基づいて、前記ＲＴＣの日時の設定を行う画面を表示部に表示させる表示制御手段と、
ユーザからの前記画面を介した前記ＲＴＣの日時の設定に基づいて、前記電池が前記電源部から供給された電力で充電されるよう制御する制御手段と、を備えることを特徴とする情報処理装置。
【請求項２】
前記電源部と前記電池との間に配置されたスイッチをさらに備え、
前記制御手段は、ユーザからの前記画面を介した前記ＲＴＣの日時の設定に基づいて、前記スイッチをオンする、ことを特徴とする請求項１に記載の情報処理装置。
【請求項３】
前記制御手段は、
前記電源部の起動時に前記スイッチをオフして、その後、ユーザからの前記画面を介した前記ＲＴＣの日時の設定に基づいて、前記スイッチをオンする、ことを特徴とする請求項２に記載の情報処理装置。
【請求項４】
前記ＲＴＣへの電力の供給元を、前記電池又は前記電源部に切り替える切替手段をさらに備える、ことを特徴とする請求項１乃至３の何れか１項に記載の情報処理装置。
【請求項５】
前記表示制御手段は、ユーザからの前記画面を介した前記ＲＴＣの日時の設定に基づいて、前記電池の充電が開始される旨を表示する、ことを特徴とする請求項１乃至４の何れか１項に記載の情報処理装置。
【請求項６】
前記表示制御手段は、前記ＲＴＣの日時の設定を行うか否かを選択する画面を表示する、ことを特徴とする請求項１乃至５の何れか１項に記載の情報処理装置。
【請求項７】
前記表示制御手段は、前記ＲＴＣの日時の設定を、今設定するか、あとで設定するかをユーザが選択する画面を表示する、ことを特徴とする請求項１乃至６の何れか１項に記載の情報処理装置。
【請求項８】
前記表示制御手段は、前記画面を介して前記ＲＴＣの日時の設定をあとで設定することを選択した場合、あとで設定することを選択してから経過した時間に従って、前記ＲＴＣの日時の設定を行う画面を、前記表示部に表示する、ことを特徴とする請求項７に記載の情報処理装置。
【請求項９】
前記電池の出力電圧に関する情報を記憶する記憶手段をさらに備え、
前記表示制御手段は、前記記憶手段に記憶された前記情報に基づいて、前記ＲＴＣの日時の設定を行う画面を表示部に表示させる、ことを特徴とする請求項１乃至８の何れか１項に記載の情報処理装置。
【請求項１０】
記録媒体に画像を印刷する印刷手段をさらに備える、ことを特徴とする請求項１乃至９の何れか１項に記載の情報処理装置。
【請求項１１】
原稿の画像を読み取る読取手段をさらに備える、ことを特徴とする請求項１乃至１０の何れか１項に記載の情報処理装置。
【請求項１２】
ＲＴＣ（リアルタイムクロック）に充電された電力を供給する電池を備える情報処理装置における前記電池の充電方法であって、
前記電池の出力電圧に基づいて、前記ＲＴＣの日時の設定を行う画面を表示部に表示する工程と、
ユーザからの前記画面を介した前記ＲＴＣの日時の設定に基づいて、電源部からの電力で前記電池を充電する工程と、を有することを特徴とする電池の充電方法。
【請求項１３】
前記電池を充電する工程は、
前記電源部と前記電池との間に配置されたスイッチをオンすることを含む、ことを特徴とする請求項１２に記載の電池の充電方法。
【請求項１４】
前記電源部の起動時に前記スイッチをオフすること、をさらに有する、ことを特徴とする請求項１３記載の電池の充電方法。
【請求項１５】
前記ＲＴＣへの電力の供給元を、前記電池又は前記電源部に切り替える工程をさらに有する、ことを特徴とする請求項１２乃至１４の何れか１項に記載の電池の充電方法。
【請求項１６】
ユーザからの前記画面を介した前記ＲＴＣの日時の設定に基づいて、前記電池の充電が開始される旨を表示する工程、をさらに有することを特徴とする請求項１２乃至１５の何れか１項に記載の電池の充電方法。
【請求項１７】
前記ＲＴＣの日時の設定を行うか否かを選択する画面を表示する工程、をさらに有する、ことを特徴とする請求項１２乃至１６の何れか１項に記載の電池の充電方法。
【請求項１８】
前記電池の出力電圧に関する情報を記憶手段に記憶する工程をさらに有し、
前記ＲＴＣの日時の設定を行う画面を表示部に表示させることは、前記記憶手段に記憶された前記情報に基づいて行われる、ことを特徴とする請求項１２乃至１７の何れか１項に記載の電池の充電方法。
【請求項１９】
記録媒体に画像を印刷する工程をさらに有する、ことを特徴とする請求項１２乃至１８の何れか１項に記載の電池の充電方法。
【請求項２０】
原稿の画像を読み取る工程をさらに有する、ことを特徴とする請求項１２乃至１９の何れか１項に記載の電池の充電方法。
【手続補正２】
【補正対象書類名】明細書
【補正対象項目名】発明の名称
【補正方法】変更
【補正の内容】
【発明の名称】情報処理装置及び情報処理装置の電池の充電方法
【手続補正３】
【補正対象書類名】明細書
【補正対象項目名】０００４
【補正方法】変更
【補正の内容】
【０００４】
このように、２次電池の劣化防止のため、充電開始時刻を設定し、その充電開始時刻と現在時刻とを比較して充電回路を制御する技術が公開されている（例えば特許文献１）。
また、充電を制限したい時間には、充電を制限する技術も公開されている（例えば特許文献２）。
【手続補正４】
【補正対象書類名】明細書
【補正対象項目名】０００８
【補正方法】変更
【補正の内容】
【０００８】
本発明は上記課題を鑑みなされたものであり、本発明の情報処理装置は、ＲＴＣ（リアルタイムクロック）と、前記ＲＴＣに充電された電力を供給する電池と、前記電池に電力を供給する電源部と、前記電池の出力電圧に基づいて、前記ＲＴＣの日時の設定を行う画面を表示部に表示させる表示制御手段と、ユーザからの前記画面を介した前記ＲＴＣの日時の設定に基づいて、前記電池が前記電源部から供給された電力で充電されるよう制御する制御手段と、を備えることを特徴とする。
【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
分散樹脂（Ａ）、硫黄化合物固体電解質（Ｂ）、及び溶媒（Ｃ）を含有する硫黄化合物固体電解質分散ペーストであって、該分散樹脂（Ａ）が、少なくとも一種の重量平均分子量３０００以上のアクリル樹脂（ａ）を含有することを特徴とする二次電池用硫黄化合物固体電解質分散ペースト。
【請求項２】
硫黄化合物固体電解質分散ペーストの固形分質量を基準として、分散樹脂（Ａ）を、０．０１〜１０質量％含有することを特徴とする請求項１に記載の二次電池用硫黄化合物固体電解質分散ペースト。
【請求項３】
アクリル樹脂（ａ）が、炭素数が４以上のアルキル基を有する重合性不飽和モノマー（ａ１）２０〜９９質量％、炭素数が４未満のアルキル基を有する重合性不飽和モノマー（ａ２）０〜５０質量％、及び官能基を有する重合性不飽和モノマー（ａ３）１〜３０質量％を含む原料モノマーの共重合体であることを特徴とする請求項１又は２に記載の二次電池用硫黄化合物固体電解質分散ペースト。
【請求項４】
アクリル樹脂（ａ）が、官能基を有する重合性不飽和モノマー（ａ３）として、カルボキシル基、リン酸基、スルホン酸基、アミノ基、４級塩基、アミド基、水酸基、ポリアルキレングリコール基、アルコキシ基からなる群より選ばれる少なくとも一種の高極性官能基を有する高極性重合性不飽和モノマー（ａ３−１）を含有することを特徴とする請求項１〜３のいずれか１項に記載の二次電池用硫黄化合物固体電解質分散ペースト。
【請求項５】
アクリル樹脂（ａ）が、炭素数が４未満のアルキル基を有する重合性不飽和モノマー（ａ２）として、溶解性パラメーターが９（Ｊ／ｍｏｌ）１／２以上の高極性重合性不飽和モノマー（ａ２−１）を含有することを特徴とする請求項１〜３のいずれか１項に記載の二次電池用硫黄化合物固体電解質分散ペースト。
【請求項６】
アクリル樹脂（ａ）の溶解性パラメーターが、９（Ｊ／ｍｏｌ）１／２未満であることを特徴とする請求項１〜５のいずれか１項に記載の二次電池用硫黄化合物固体電解質分散ペースト。
【請求項７】
溶媒（Ｃ）が、下記式（１）で表されるエステル系溶媒、及び／又は炭化水素系溶媒であることを特徴とする請求項１〜６のいずれか１項に記載の二次電池用硫黄化合物固体電解質分散ペースト。
Ｒ１ＣＯＯＲ２・・・（１）
（式中、Ｒ１及びＲ２は、同一であっても異なっていてもよく、炭素数２以上の炭化水素を示す。）
【請求項８】
溶媒（Ｃ）の溶解性パラメーターが、７．３〜８．５（Ｊ／ｍｏｌ）１／２であることを特徴とする請求項１〜７のいずれか１項に記載の二次電池用硫黄化合物固体電解質分散ペースト。
【請求項９】
さらに、バインダー（Ｄ）を含有することを特徴とする請求項１〜８のいずれか１項に記載の二次電池用硫黄化合物固体電解質分散ペースト。
【請求項１０】
請求項１〜９のいずれか１項に記載の二次電池用硫黄化合物固体電解質分散ペーストの乾燥物である二次電池用硫黄化合物固体電解質層。
【請求項１１】
分散樹脂（Ａ）及び硫黄化合物固体電解質（Ｂ）、ならびに任意選択でバインダー（Ｄ）を含有する二次電池用硫黄化合物固体電解質層であって、該分散樹脂（Ａ）が、少なくとも一種の重量平均分子量３０００以上のアクリル樹脂（ａ）を含有することを特徴とする二次電池用硫黄化合物固体電解質層。
【請求項１２】
請求項１０又は１１に記載の硫黄化合物固体電解質層、正極、及び負極を具備することを特徴とする全固体二次電池。
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
互いに直交する前後方向及び幅方向と、
前記前後方向の中央を含む股下域、前記股下域よりも前側に位置する前胴回り域及び前記股下域よりも後側に位置する後胴回り域と、
少なくとも前記股下域に配置された吸収コアと、
前記後胴回り域において前記幅方向の外側に延出した止着部材と、
前記前胴回り域において前記止着部材が止着するターゲット領域と、を有し、
前記止着部材は、前記ターゲット領域に止着する第１係合部を有する第１タブと、前記第１タブよりも前側に位置し、前記ターゲット領域に止着する第２係合部を有する第２タブと、を有する吸収性物品であって、
前記ターゲット領域には、第１目印部と、前記第１目印部よりも後側に位置する第２目印部と、が設けられており、
前記第１目印部は、前記吸収性物品の展開状態における前記第１タブの前記幅方向の外端縁に位置する第１外端縁に相似する第１外端図柄と、前記第１タブの前記第１外端縁に交差し且つ前記幅方向に延びる第１交差縁に相似する第１交差図柄と、を有し、
前記第２目印部は、前記展開状態における前記第２タブの前記幅方向の外端縁に位置する第２外端縁に相似する第２外端図柄と、前記第２タブの前記第２外端縁に交差し且つ前記幅方向に延びる第２交差縁に相似する第２交差図柄と、を有し、
前記第１目印部と前記第２目印部は、前記前後方向に並んで配置されている、吸収性物品。
【請求項２】
前記第１交差図柄及び前記第２交差図柄は、前記幅方向の内側に向かうにつれて前記前後方向において互いに近づくように延びている、請求項１に記載の吸収性物品。
【請求項３】
前記第１目印部と前記第２目印部は、前記前後方向に離間している、請求項１又は請求項２に記載の吸収性物品。
【請求項４】
前記第１目印部及び前記第２目印部の少なくとも一方は、前記吸収コアと重なる領域に配置されている、請求項１から請求項３のいずれか１項に記載の吸収性物品。
【請求項５】
前記第１目印部及び前記第２目印部の少なくとも一方は、前記吸収コアの前端縁を跨がっている、請求項４に記載の吸収性物品。
【請求項６】
前記吸収コアの前端縁は、前記幅方向の内側に向かって後側に延びており、
前記第１交差図柄は、前記幅方向の内側に向かって後側に延びている、請求項１から請求項５のいずれか１項に記載の吸収性物品。
【請求項７】
前記第１目印部は、前記第１係合部に相似する第１係合図柄を有し、
前記第２目印部は、前記第２係合部に相似する第２係合図柄を有する、請求項１から請求項６のいずれか１項に記載の吸収性物品。
【請求項８】
前記第１目印部は、外側第１目印部と、前記外側第１目印部よりも前記幅方向の内側に配置された内側第１目印部と、を有し、
前記第２目印部は、外側第２目印部と、前記外側第２目印部よりも前記幅方向の内側に配置された内側第２目印部と、を有し、
前記外側第１目印部は、前記内側第１目印部に対する色差ΔＥが３．０以上の第１識別部を有し、
前記外側第２目印部は、前記内側第２目印部に対する色差ΔＥが３．０以上の第２識別部を有する、請求項１から請求項７のいずれか１項に記載の吸収性物品。_
【請求項９】
前記第１外端図柄の長さは、前記第１外端縁よりも長く、
前記第１交差図柄の長さは、前記第１交差縁よりも長く、
前記第２外端図柄の長さは、前記第２外端縁よりも長く、
前記第２交差図柄の長さは、前記第２交差縁よりも長い、請求項１から請求項８のいずれか１項に記載の吸収性物品。
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
ガレート型カテキンを１〜２５０ｐｐｍ含有し、ｐＨが５．０〜８．０である飲料の苦味を軽減する方法であって、リナロールを４０ｐｐｍ以上に調整する工程を含む、上記方法。
【請求項２】
前記飲料のＢｒｉｘが１以下である、請求項１に記載の方法。
【請求項３】
前記飲料が茶抽出物を含有する、請求項１又は２に記載の方法。
【手続補正２】
【補正対象書類名】明細書
【補正対象項目名】００１１
【補正方法】変更
【補正の内容】
【００１１】
本発明の飲料中のガレート型カテキンの濃度は、１〜２５０ｐｐｍであり、好ましくは１〜１５０ｐｐｍ、より好ましくは３〜６５ｐｐｍ、さらに好ましくは５〜３０ｐｐｍである。飲料中のガレート型カテキンの濃度が１ｐｐｍ以上の場合、飲料における苦味が強く感じられるため、本発明による苦味の軽減効果を得る上で好ましい。また、飲料中のガレート型カテキンの濃度が２５０ｐｐｍを超える場合、本発明による苦味の軽減効果は得られるが、苦味が十分に軽減しないことがある。
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
カテキン類を１〜５００ｐｐｍ含有し、ｐＨが５．０〜８．０である飲料の苦味を軽減する方法であって、リナロールを４０ｐｐｍ以上に調整する工程を含む、上記方法。
【請求項２】
前記飲料のＢｒｉｘが１以下である、請求項１に記載の方法。
【請求項３】
前記飲料が茶抽出物を含有する、請求項１又は２に記載の方法。
【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
カテキン類を１〜５００ｐｐｍ、ゲラニオールを４０ｐｐｍ以上含有し、ｐＨが５．０〜８．０である飲料を調製する工程を含む、飲料を製造する方法。
【請求項２】
前記飲料のＢｒｉｘが１以下である、請求項１に記載の方法。
【請求項３】
前記飲料が茶抽出物を含有する、請求項１又は２に記載の方法。